(57)【特許請求の範囲】
【請求項１】
プリンタにて必要情報が印字されて前記プリンタのセンター振り分け位置から排出される印字媒体を巻取る巻取り機において、
一端部が片持ち支持されると共に他端部が開放端とされ、前記印字媒体を巻取るための駆動力を与える回転軸と、この回転軸と連動して回転可能に装着される支管支持部材と、
この支管支持部材に装着される前記印字媒体の巻取り用支管と、
前記回転軸の駆動を前記巻取り用支管に伝達させる嵌着部材と、
前記支管支持部材の前記回転軸の前記一端部側に設けられ、前記巻取り用支管の一方の側端部を規制する第１の幅規制板と、
前記巻取り用支管の他方の側端部を規制する第２の幅規制板を備える位置決め部材と、を有し、
前記回転軸は、前記回転軸の前記一端部側から前記他端部側に向けて小さくなるように前記巻取り用支管の幅に対応した目盛りが設定されたセット位置目盛りを備え、前記支管支持部材の前記回転軸の前記一端部側を前記巻取り用支管の幅に対応した前記セット目盛りに位置決めすることによって、前記巻取り用支管が前記プリンタの前記センター振り分け位置に位置決めされることを特徴とする巻取り機における支管の位置決め装置。
【発明の詳細な説明】
【０００１】
【発明の属する技術分野】
本発明は、特に、ラベルなどの印字媒体に所定の情報を印字するプリンタの外部に装着して、プリンタから排出される前記印字媒体を支管に巻取る巻取り機における支管の位置決め装置に関する。
【０００２】
【従来の技術】
従来から、例えば図６に示すような巻取り機２が知られている。この巻取り機２は、プリンタ（例えばラベルプリンタ）６の外部に取付け固定プレート４にて固定・位置決めされ、前記プリンタ６にて所定の情報が印字されて排出方向Ｆに排出される、例えばラベル連続体などの印字媒体Ｌを巻取るための装置であって、巻取り軸８、ラベル押え部材１０を有する。なお、１２、１４、１６は、おのおの第１、第２、第３のガイドローラを示す。
【０００３】
巻取り軸８は、片持ち支持され、その一端（根本側）には、印字媒体Ｌの一方の側端部を規制するとともに、この印字媒体Ｌを巻取る、例えば紙製の支管Ｃの一方の側端部も規制する幅規制板１８が固設されており、他端は開放端となっている。なお、支管Ｃの幅は、印字媒体Ｌの幅とほぼ同一とされる。また、巻取り軸８は、図示しない駆動源（例えば、モータ）によって正回転または逆回転されるようになっている。
【０００４】
押え部材１０は、巻取り軸８の開放端側から装着し、印字媒体Ｌおよび支管Ｃの他方の側端部を規制・位置決めするための部材であって、巻取り軸８に対し着脱自在に設けられるとともに、図示しないバネなどの既知の方法によって巻取り軸８に固定されるようになっている。
【０００５】
なお、以前および以後において「長手方向Ｗ」とは、プリンタ６から排出される印字媒体Ｌの排出方向Ｆにほぼ直交する方向を指すものとして説明する。
【０００６】
この巻取り機２にて前記プリンタ６から排出された印字媒体Ｌを巻取る場合、支管Ｃを前記巻取り軸８の開放端側より押し込み、巻取り軸８の根本側に固設された幅規制板１８に一方の側端部を当接させるように装着する。そして、第１、第２、第３のガイドローラ１２、１４、１６を経て印字媒体Ｌを巻取り軸８へと引き出し、支管Ｃに巻付ける。更に、巻取り軸８の開放端側から押え部材１０を支管Ｃの他方の側端部に当接させるように装着し、巻取り軸８を駆動源（図示せず）により回転して支管Ｃに印字媒体Ｌを巻取る。
【０００７】
ところでプリンタ６においては、近年図示せぬ印字ヘッド（例えば、サーマルヘッド）の印字圧力バランスや熱効率を考慮して印字ヘッド（図示せず）の中央部近辺を積極的に使う、いわゆる「センター振り分け」と称する使い方が行われるようになってきた。
【０００８】
しかしながら、従来の巻取り機２は、長手方向Ｗを含むプリンタ６との位置関係が取付け固定プレート４にて固定・位置決めされており、しかも印字媒体Ｌを巻取る支管Ｃの一方の側端部を位置決めする幅規制板１８が巻取り軸８の根本側に固設されているため、センター振り分けに適さなかった。すなわち、この従来の巻取り機２をセンター振り分け用に無理やり使用すると、プリンタ６の中央部位から排出された印字媒体Ｌは、巻取り軸８の根本側に固設された幅規制板１８にて当接・位置決めされた支管Ｃに向けて無理やり方向を変えるため印字媒体Ｌがよじれ、しかも、印字媒体Ｌの他方の側端部が押え部材１０でこすれて印字媒体Ｌの側端部が痛むなどの問題が発生した。
【０００９】
印字媒体Ｌの側端部が痛まないよう、押え部材１０を幅規制板１８から離して、プリンタ６の中央部位から排出される印字媒体Ｌの他方の側端部の位置に位置決めして巻取ると、押え部材１０と幅規制板１８の間が広くなって支管Ｃが安定せず、更に、印字媒体Ｌが蛇行しながら巻取られるため、正常な巻取りが行われないことが多々生じた。
【００１０】
【発明が解決しようとする課題】
本発明は以上のような問題点に着目してなされたもので、印字媒体を巻取る支管を片側基準及びセンター振り分けの双方に対応可能であり、しかも、センター振り分け時の幅規制板の位置決めを容易とした巻取り機における支管の位置決め装置を提供することを課題とする。
【００１１】
【課題を解決するための手段】
上記の課題を解決するためになされた本発明の巻取り機における支管の位置決め装置は、プリンタにて必要情報が印字されて前記プリンタのセンター振り分け位置から排出される印字媒体を巻取る巻取り機において、一端部が片持ち支持されると共に他端部が開放端とされ、前記印字媒体を巻取るための駆動力を与える回転軸と、この回転軸と連動して回転可能に装着される支管支持部材と、この支管支持部材に装着される前記印字媒体の巻取り用支管と、前記回転軸の駆動を前記巻取り用支管に伝達させる嵌着部材と、前記支管支持部材の前記回転軸の前記一端部側に設けられ、前記巻取り用支管の一方の側端部を規制する第１の幅規制板と、前記巻取り用支管の他方の側端部を規制する第２の幅規制板を備える位置決め部材と、を有し、前記回転軸は、前記回転軸の前記一端部側から前記他端部側に向けて小さくなるように前記巻取り用支管の幅に対応した目盛りが設定されたセット位置目盛りを備え、前記支管支持部材の前記回転軸の前記一端部側を前記巻取り用支管の幅に対応した前記セット目盛りに位置決めすることによって、前記巻取り用支管が前記プリンタの前記センター振り分け位置に位置決めされる。
【００１２】
【発明の実施の形態】
本発明の第１の実施の形態による支管Ｃの位置決め装置を具備した巻取り機３０を図１ないし図５に基づき説明する。なお、従来例と同様の部分には同一の符号を付し、その詳述はこれを省略する。
【００１３】
図１は、本発明に係る巻取り機３０の概略斜視図であって、支管Ｃをプリンタ６の長手方向Ｗにおけるセンター振り分け位置に位置決めするための位置決め装置３２を備えている。
【００１４】
この位置決め装置３２は、主に、回転軸３４、支管支持部材３６および位置決め部材３８から成る。なお、１２、１４は、おのおの第１および第２のガイドローラである。
【００１５】
回転軸３４は、一端が片持ち支持された状態で突設され、他端は開放端となっており、長手方向Ｗには、セット位置目盛り４０および支管支持部材３６の係止・回転防止用の溝４２が設けられている。前記セット位置目盛り４０は、支管Ｃの幅に対応した「目盛り」であって、根本側から開放端に向けた長手方向Ｗに沿って目盛りが小さくなるように設定されている。
【００１６】
支管支持部材３６は、主に、第１の幅規制板４４、溝４８、嵌着部材としての板バネ５０および固定ネジ５２を備えている。第１の幅規制板４４は一端に固設されており、支管支持部材３６の他端は開放端となっている。また、溝４８は、退避用および係止用のものであって、長手方向Ｗに沿って設けられている。更に、板バネ５０は、印字媒体Ｌを巻付ける支管Ｃを装着した際、支管Ｃを動かないように支管支持部材３６に嵌合するとともに、前記回転軸３４の回転駆動に従って空回りしないで回転するように設けてある。
【００１７】
また、支管支持部材３６は、前記回転軸３４に開放端側から嵌装して回転軸３４の長手方向Ｗに沿って摺動可能となっており、第１の幅規制板４４が回転軸３４の根本側にくるように装着する。この支管支持部材３６は、固定ネジ５２を締め付けると固定ネジ５２の先端が前記巻取り軸３４の溝４２に係合して固定されるようになっている。
【００１８】
位置決め部材３８は、第２の幅規制板５４、嵌合リング部５６および押え舌片５８から形成されている。幅規制板５４には、前記支管支持部材３６よりやや大きめの径の穴があけられており、片面にこの穴とほぼ同じ径の嵌合リング部５６が固定されている。嵌合リング部５６は、リング状の一部にスリット６０が形成されており、リングの径が多少伸縮するようになっている。
【００１９】
押え舌片５８は、板バネ状を呈して幅規制板５４より突出して設けられ、前記支管支持部材３６側に弾性付勢力を与え、主に図５に示すように印字媒体Ｌを支管支持部材３６に直接巻取る、いわゆる直巻き時の押えに使用するものであって、直巻き時には、前記溝４８に沿って摺動し、印字媒体Ｌの巻きはじめの端部を溝４８との間で挟持する。なお、前記溝４８は、前記押え舌片５８が収容可能な深さとなっている。
【００２０】
こうした状態の巻取り機３０において、プリンタ６から排出された印字媒体Ｌを巻取る際、支管支持部材３６を回転軸３４に沿って摺動しセット位置目盛り４０の適宜位置、すなわち、支管Ｃの幅に対応した目盛り位置に位置決めし、固定ネジ５２にて固定すると、支管支持部材３６の第１の幅規制板４４がプリンタ６のセンター振り分け位置から排出される印字媒体Ｌの一方の側端部の位置にほぼ位置決めされる。そして、回転軸３４の開放端側より支管Ｃを前記位置決めされた幅規制板４４に当接するように押し込むと、支管Ｃはプリンタ６のほぼセンタ−振り分け位置に位置決めされるものである。
【００２１】
次に、支管支持部材３６の開放端側より位置決め部材３８の嵌合リング部５６を第２の幅規制板５４が内側となるように嵌装し、支管支持部材３６に沿って摺動して第２の幅規制板５４を支管Ｃに当接する。このとき、押え舌片５８は、支管支持部材３６の前記溝４８に沿って摺動し、更に、主に図３に示すように、幅規制板５４が支管Ｃに当接するときは、支管支持部材３６の溝４８内に押え舌片５８が退避・収納されるようになっている。
【００２２】
このように、回転軸３４に設けられるセット位置目盛り４０において、支管Ｃの幅に対応した目盛りに支管支持部材３６を位置決めするだけで、センター振り分け位置で印字されてプリンタ６から排出される印字媒体Ｌに対応する位置に印字媒体Ｌ巻取り用の支管Ｃが位置決めされ、更に、支管Ｃの他方の側端部に第２の幅規制板５４を当接することにより、第１および第２の幅規制板４４、５４が回転軸３４の長手方向Ｗのほぼ中央部位で位置決めされるものである。
なお、片側に寄せる、いわゆる片側基準のときは、回転軸３４の根本側に向けて支管支持部材３６が止まるまで押し込んで固定すれば、プリンタ６から排出される印字媒体Ｌの一方の側端部を規制する位置に第１の幅規制板４４が位置決めされるようになっているため、これに当接するように支管Ｃを装着すれば、支管Ｃは片側基準の位置に位置決めされるものである。
【００２３】
【発明の効果】
以上説明したように、本発明は、回転軸と、この回転軸に沿って摺動する第１の幅規制板を備えた支管支持部材と、支管支持部材に沿って摺動する第２の幅規制板を備えた位置決め部材とを有するので、支管は第１および第２の幅規制板によって長手方向のセンター振り分け位置に位置決めされるという効果がある。
【図面の簡単な説明】
【図１】本発明の支管の位置決め装置を具備した巻取り機の概略斜視図
【図２】同、回転軸への支管支持部材および支管の装着状態を説明する概略斜視図
【図３】同、支管支持部材への支管及び印字媒体のセット状態を説明する一部破断の側面図
【図４】同、図３中、矢示ＩＶ方向から見た平面図
【図５】同、直巻き時の支管支持部材への印字媒体のセット状態を説明する斜視図
【図６】従来の巻取り機を示す概略斜視図
【符号の説明】
Ｌ  印字媒体
Ｗ  長手方向
Ｆ  印字媒体Ｌの排出方向
Ｃ  支管（コア）
２  巻取り機（従来）
４  取付け固定プレート
６  プリンタ（ラベルプリンタ）
８  巻取り軸
１０  ラベル押え部材
１２  第１のガイドローラ
１４  第２のガイドローラ
１６  第３のガイドローラ
３０  巻取り機（本発明の実施の形態）
３２  位置決め装置
３４  回転軸
３６  支管支持部材
３８  位置決め部材
４０  セット位置目盛り
４２  溝
４４  第１の幅規制板
４８  溝
５０  嵌着部材（板バネ）
５２  固定ネジ
５４  第２の幅規制板
５６  嵌合リング部
５８  押え舌片
６０  スリット
【図１】
0003850125.tif 000002
【図２】
0003850125.tif 000003
【図３】
0003850125.tif 000004
【図４】
0003850125.tif 000005
【図５】
0003850125.tif 000006
【図６】
0003850125.tif 000007